(57)【要約】【課題】人体感知センサの赤外線検出可能エリアに人が存在しない場合、カーボンヒーターへの電気の通電を確実に遮断することができ、無駄な電力の消費を防ぐことができる電気ストーブを提供する。【解決手段】電気ストーブ１０は、赤外線をセンサ３５が検出するとともに、その赤外線の変化を検出した場合に、それらカーボンヒーター２６，２８への電気の通電を維持する通電維持手段と、赤外線をセンサ３５が検出しない場合に、それらカーボンヒーター２６，２８への電気の通電を遮断する通電第１遮断手段と、赤外線をセンサ３５が検出するとともに、その赤外線の変化を検出しない場合に、それらカーボンヒーター２６，２８への電気の通電を遮断する通電第２遮断手段とを有する。【選択図】図１
0003186451.tif 000002
【実用新案登録請求の範囲】
【請求項１】
カーボンヒーターが設置されたケースと、前記ケースの下方に位置して該ケースを支持する支持台と、前記支持台に設置されて前記ケース前方の赤外線検出可能エリアから該ケースに向かって放出された赤外線を検出する人体感知センサ装置とを備えた電気ストーブにおいて、
前記電気ストーブが、前記赤外線を前記人体感知センサ装置が検出するとともに、その赤外線の変化を検出した場合に、前記カーボンヒーターへの電気の通電を維持する通電維持手段と、前記赤外線を前記人体感知センサ装置が検出しない場合に、前記カーボンヒーターへの電気の通電を遮断する通電第１遮断手段と、前記赤外線を前記人体感知センサ装置が検出するとともに、その赤外線の変化を検出しない場合に、前記カーボンヒーターへの電気の通電を遮断する通電第２遮断手段とを有することを特徴とする電気ストーブ。
【請求項２】
前記通電第２遮断手段では、前記赤外線の変化を検出しなくなった時点から所定時間経過後に前記カーボンヒーターへの電気の通電を遮断する請求項１に記載の電気ストーブ。
【請求項３】
前記通電第１遮断手段では、前記人体感知センサ装置が前記赤外線を検出しなくなった時点から直ちに前記カーボンヒーターへの電気の通電を遮断し、または、前記人体感知センサ装置が前記赤外線を検出しなくなった時点から所定時間経過後に前記カーボンヒーターへの電気の通電を遮断する請求項１または請求項２に記載の電気ストーブ。
【請求項４】
前記電気ストーブでは、前記所定時間を１０〜３０秒の範囲で設定可能である請求項２または請求項３に記載の電気ストーブ。
【請求項５】
前記電気ストーブが、前記カーボンヒーターへの電気の通電を遮断した後、前記赤外線を前記人体感知センサ装置が再び検出するとともに、その赤外線の変化を検出した場合に、前記カーボンヒーターへの電気の通電を直ちに再開する通電再開手段を含む請求項１ないし請求項４いずれかに記載の電気ストーブ。
【考案の詳細な説明】
【技術分野】
【０００１】
本考案は、カーボンヒーターから放射される赤外線によって暖房エリアを暖房する電気ストーブに関する。
【背景技術】
【０００２】
前面が開口した本体ケースと、本体ケース内に設置された発熱体と、発熱体の背面に設置された反射板と、本体ケースを水平方向に揺動自在に支持する脚と、本体ケースを首振駆動する首振駆動用モータを有する首振装置と、反射板の反射方向に対して人を検出する人体感知センサと、タイマ・リセット回路を有する制御回路とを備えた電気ストーブが開示されている（特許文献１参照）。この電気ストーブでは、人体感知センサが人の存在を検出した場合にのみ発熱体に電気を通電し、首振り運転の少なくとも一周期より長い時間で人体感知センサが人の存在を検出しなかった場合、発熱体への電気の通電を遮断するとともに首振りモータを停止させる。また、首振りモータを停止させた後に人体検知センサが人を検出したとしても、リセット回路を解除しない限り、発熱体への電気の通電を再開しない。
【先行技術文献】
【特許文献】
【０００３】
【特許文献１】特許２５０６８８６号公報
【考案の概要】
【考案が解決しようとする課題】
【０００４】
前記特許文献１に開示の電気ストーブでは、発熱体から放射された赤外線を吸収してその赤外線を放出する物体がストーブの前方に存在する場合、または、発熱体から放射された赤外線をストーブに向かって反射する物体がストーブの前方に存在する場合、それら物体から発せられた赤外線を人体感知センサが検出し、人体感知センサの赤外線検出可能エリアに人が存在しないにもかかわらず、発熱体への電気の通電が継続され、無駄な電力が消費されてしまう場合がある。また、発熱体への電気の通電を遮断するとともに首振りモータを停止させ後、人体感知センサの赤外線検出可能エリアに人が再び入り、人体感知センサが人の存在を検出したとしても、リセット回路を解除しなければ発熱体への電気の通電が再開されないから、人体感知センサの赤外線検出可能エリアに人が再び入った場合においてストーブを迅速に再起動させることができず、その人を直ちに暖房することができない。
【０００５】
本考案の目的は、人体感知センサの赤外線検出可能エリアに人が存在しない場合、カーボンヒーターへの電気の通電を確実に遮断することができ、無駄な電力の消費を防ぐことができる電気ストーブを提供することにある。また、人体感知センサの赤外線検出可能エリアに人が再び入った場合、迅速に再起動させることができ、その人を直ちに暖房することができる電気ストーブを提供することにある。
【課題を解決するための手段】
【０００６】
前記課題を解決するための本考案の前提は、カーボンヒーターが設置されたケースと、ケースの下方に位置してそのケースを支持する支持台と、支持台に設置されてケース前方の赤外線検出可能エリアからケースに向かって放出された赤外線を検出する人体感知センサ装置とを備えた電気ストーブである。
【０００７】
前記前提における本考案の特徴は、電気ストーブが、赤外線を人体感知センサ装置が検出するとともに、その赤外線の変化を検出した場合に、カーボンヒーターへの電気の通電を維持する通電維持手段と、赤外線を人体感知センサ装置が検出しない場合に、カーボンヒーターへの電気の通電を遮断する通電第１遮断手段と、赤外線を人体感知センサ装置が検出するとともに、その赤外線の変化を検出しない場合に、カーボンヒーターへの電気の通電を遮断する通電第２遮断手段とを有することにある。
【０００８】
本考案の一例として、通電第２遮断手段では、赤外線の変化を検出しなくなった時点から所定時間経過後にカーボンヒーターへの電気の通電を遮断する。
【０００９】
本考案の他の一例として、通電第１遮断手段では、人体感知センサ装置が赤外線を検出しなくなった時点から直ちにカーボンヒーターへの電気の通電を遮断し、または、人体感知センサ装置が赤外線を検出しなくなった時点から所定時間経過後にカーボンヒーターへの電気の通電を遮断する。
【００１０】
本考案の他の一例として、電気ストーブでは、所定時間を１０〜３０秒の範囲で設定可能である。
【００１１】
本考案の他の一例としては、電気ストーブが、カーボンヒーターへの電気の通電を遮断した後、赤外線を人体感知センサ装置が再び検出するとともに、その赤外線の変化を検出した場合に、カーボンヒーターへの電気の通電を直ちに再開する通電再開手段を含む。
【考案の効果】
【００１２】
本考案にかかる電気ストーブによれば、赤外線を人体感知センサ装置が検出しない場合、カーボンヒーターへの電気の通電を遮断するのみならず、赤外線を人体感知センサ装置が検出したとしても、その赤外線の変化を検出しない場合、カーボンヒーターへの電気の通電を遮断するから、カーボンヒーターから放出された赤外線を吸収してその赤外線をストーブに向かって放出する物体やカーボンヒーターから放出された赤外線をストーブに向かって反射する物体がストーブの前方に存在したとしても、それら物体を人と判断することはなく、人体感知センサ装置の赤外線検出可能エリアに人が存在しない場合に、カーボンヒーターへの電気の通電を確実に遮断することができ、無駄な電力の消費を防ぐことができる。電気ストーブは、人体感知センサ装置の赤外線検出可能エリアに人が存在しない場合、カーボンヒーターへの電気の通電を遮断するから、カーボンヒーターに常時電気を通電する場合と比較し、カーボンヒーターの稼働時間を短縮することができ、電気料金の低減と二酸化炭素排出量の大幅な削減とを図ることができる。
【００１３】
赤外線の変化を検出しなくなった時点から所定時間経過後にカーボンヒーターへの電気の通電を遮断する電気ストーブは、人体感知センサ装置の赤外線検出可能エリアに存在する人がその領域において所定時間静止し、赤外線の変化が検出されなくなった場合でも、直ちにカーボンヒーターへの電気の通電が遮断されることはなく、その所定時間の間に人が動くと、赤外線の変化が検出されてカーボンヒーターへの電気の通電が維持されるから、人体感知センサ装置の赤外線検出可能エリアに人が存在する場合におけるその人への暖房の停止を防ぐことができ、その人への暖房を継続することで、その人に対する暖め効果を維持することができる。
【００１４】
人体感知センサ装置が赤外線を検出しなくなった時点から直ちにカーボンヒーターへの電気の通電を遮断する電気ストーブは、人体感知センサ装置の赤外線検出可能エリアに人が存在しなくなった瞬間にカーボンヒーターへの電気の通電を遮断することで、無駄な電力の消費を防ぐことができる。人体感知センサ装置が赤外線を検出しなくなった時点から所定時間経過後にカーボンヒーターへの電気の通電を遮断する電気ストーブは、人体感知センサ装置の赤外線検出可能エリアに人が短時間の間いなくなり、再び検出可能エリアに人が戻った場合、所定時間内であればカーボンヒーターへの電気の通電が維持されるから、検出可能エリアに人が存在しなくなった瞬間にカーボンヒーターへの電気の通電を遮断する場合と比較し、ストーブの周辺温度の低下を防ぐことができ、その人に対する暖め効果を維持することができる。
【００１５】
所定時間を１０〜３０秒の範囲で設定可能な電気ストーブは、赤外線の変化を検出しなくなった時点から１０〜３０秒後にカーボンヒーターへの電気の通電を遮断するから、人体感知センサ装置の赤外線検出可能エリアに存在する人がその領域において１０〜３０秒の間静止し、赤外線の変化が検出されなくなった場合でも、直ちにカーボンヒーターへの電気の通電が遮断されることはなく、１０〜３０秒の間に人が動くと、赤外線の変化が検出されてカーボンヒーターへの電気の通電が維持されるから、人体感知センサ装置の検出可能エリアに人が存在する場合におけるその人への暖房の停止を防ぐことができ、その人への暖房を継続することで、その人に対する暖め効果を維持することができる。また、人体感知センサ装置が赤外線を検出しなくなった時点から１０〜３０秒経過後にカーボンヒーターへの電気の通電を遮断するから、人体感知センサ装置の赤外線検出可能エリアに人が短時間の間いなくなり、再び検出可能エリアに人が戻った場合、１０〜３０秒内であればカーボンヒーターへの電気の通電が維持されるから、検出可能エリアに人が存在しなくなった瞬間にカーボンヒーターへの電気の通電を遮断する場合と比較し、ストーブの周辺温度の低下を防ぐことができ、その人に対する暖め効果を維持することができる。
【００１６】
カーボンヒーターへの電気の通電を遮断した後、赤外線を人体感知センサ装置が再び検出するとともに、その赤外線の変化を検出した場合に、カーボンヒーターへの電気の通電を直ちに再開する電気ストーブは、カーボンヒーターへの電気の通電を遮断した後に赤外線検出可能エリアに人が再び存在すると、カーボンヒーターへの電気の通電が瞬時に再開されるから、カーボンヒーターによって検出可能エリアに存在する人を直ちに暖めることができる。
【図面の簡単な説明】
【００１７】
【図１】一例として示す電気ストーブの斜視図。
【図２】電気ストーブの正面図。
【図３】電気ストーブの上面図。
【図４】カーボンヒーターへの電気のＯＮ／ＯＦＦの一例を説明する図。
【図５】カーボンヒーターへの電気のＯＮ／ＯＦＦの他の一例を説明する図。
【図６】カーボンヒーターへの電気のＯＮ／ＯＦＦの他の一例を説明する図。
【考案を実施するための形態】
【００１８】
一例として示す電気ストーブ１０の斜視図である図１等の添付の図面を参照し、本考案にかかる電気ストーブの詳細を説明すると、以下のとおりである。なお、図２は、電気ストーブ１０の正面図であり、図３は、電気ストーブ１０の上面図である。図１では、上下方向を矢印Ａで示し、横方向を矢印Ｂで示すとともに、前後方向を矢印Ｃで示す。電気ストーブ１０は、上下方向へ長いケース１１と、ケース１１の下方に位置する支持台１２と、人体感知センサ装置１３とを備えている。
【００１９】
ケース１１は、ステンレスから作られ、横方向へ延びる頂壁１４および底壁１５と、上下方向へ延びる両側壁１６，１７および後壁１８と、ケース１１を横方向へ二分して上下方向へ延びる仕切り壁１９とを有する。頂壁１４には、取っ手２０が取り付けられている。ケース１１には、その前方へ開口する上下方向へ長い略矩形の第１放出口２１と、その前方へ開口する上下方向へ長い略矩形の第２放出口２２とが作られている。
【００２０】
第１および第２放出口２１，２２は、同形同大に成形されて横方向へ並んでいる。第１および第２放出口２１，２２には、上下方向と横方向とへ延びる複数本の防護柵２３が設置されている。ケース１１には、第１放出口２１から後壁１８に向かって凸となるように弧を画く第１スペース２４と、第２放出口２２から後壁１８に向かって凸となるように弧を画く第２スペース２５とが画成されている。第１および第２スペース２４，２５は、上下方向へ長い同形同大に成形され、横方向へ並んでいる。
【００２１】
第１スペース２４には、上下方向へ延びる第１カーボンヒーター２６が着脱可能に設置されているとともに、鏡面加工が施されたステンレス製の第１反射板２７が設置されている。第１カーボンヒーター２６は、それに電気が通電される（電流が流れる）と、その略全域から赤外線（熱）を放射する。第１反射板２７は、第１放出口２１から後壁１８に向かって凸となるように弧を画いている。第１反射板２７は、第１カーボンヒーター２６から第１スペース２４に放射された赤外線を第１放出口２１に向かって反射させる。
【００２２】
第２スペース２５には、上下方向へ延びる第２カーボンヒーター２８が着脱可能に設置されているとともに、鏡面加工が施されたステンレス製の第２反射板２９が設置されている。第２カーボンヒーター２８は、それに電気が通電される（電流が流れる）と、その略全域から赤外線（熱）を放射する。第２反射板２９は、第２放出口２２から後壁１８に向かって凸となるように弧を画いている。第２反射板２９は、第２カーボンヒーター２８から第２スペース２５に放射された赤外線を第２放出口２２に向かって反射させる。第１および第２反射板２７，２９は、上下方向へ細長い同形同大に成形され、横方向へ並んでいる。
【００２３】
ケース１１では、第１放出口２１の横方向の寸法と第１反射板２７の形状とが調整され、第１放出口２１からケース１１の前方へ放出される赤外線（第１カーボンヒーター２６から放射された赤外線）の放出角度が６０〜９０度の範囲に調節されている。また、第２放出口２２の横方向の寸法と第２反射板２９の形状とが調整され、第２放出口２２からケース１１の前方へ放出される赤外線（第２カーボンヒーター２８から放射された赤外線）の放出角度が６０〜９０度の範囲に調節されている。ストーブ１０は、ケース１１の第１および第２放出口２１，２２から前方へ向かって所定範囲に暖房可能な暖房エリアＳ１（図４参照）を有する。
【００２４】
支持台１２は、ステンレスから作られ、ケース１１の底壁１５に固定されて底壁１５から下方へ延びる四角柱状の筐体３０と、筐体３９の下端部に固定された平面形状が四角形の接地ベース３１とを有する。筐体３９の側壁には、ＯＮ／ＯＦＦスイッチ３２が取り付けられている。筐体３９の前壁には、運転表示ランプ３３と強弱切替スイッチ３４とが取り付けられている。筐体３９の後壁からは、電線３６が延びている。
【００２５】
運転表示ランプ３３は、ストーブ１０が稼働している場合（それらカーボンヒーター２６，２８に電気が通電されている場合）に点灯し、ストーブ１０が停止している場合（それらカーボンヒーター２６，２８に電気が通電されていない場合）に消灯する。強弱切替スイッチ３４をＯＮにすると、第１および第２カーボンヒーター２６，２８のうちのいずれか一方への電気の通電が停止し、いずれか他方のカーボンヒーター２６，２８のみから赤外線が放射され、弱運転となる。強弱切替スイッチ３４をＯＦＦにすると、第１および第２カーボンヒーター２６，２８の両者に電気が通電され、それらカーボンヒーター２６，２８から赤外線が放射され、強運転となる。
【００２６】
人体感知センサ装置１３は、センサ３５（焦電型赤外線検出センサ）と、センサ３５に接続された検出ユニット（図示せず）とから形成されている。センサ３５は、筐体３０の前壁に取り付けられている。検出ユニットは、筐体３０の内部に収容されている。センサ３５には、図示はしていないが、フレネルレンズが設置され、ケース１１の前方における赤外線の検出可能エリアＳ２が設定されている。センサ３５は、ケース１１の前方における赤外線検出可能エリアＳ２からケース１１（人体感知センサ装置１３）に向かって放射された赤外線を検出し、検出した赤外線の赤外線検出信号（電圧値）を検出ユニットに出力する。ストーブ１０では、その暖房エリアＳ１とセンサ３５の赤外線検出可能エリアＳ２とが略一致している。
【００２７】
検出ユニットは、赤外線検出信号増幅回路、ウインドコンパレータ回路、出力回路、電源回路を備え、ワンチップマイコンから形成されたコントローラが搭載されている。検出ユニットは、その赤外線検出信号増幅回路にバンドパスフィルターが設置されており、センサ３５によって検出された赤外線の緩慢な変化や赤外線の瞬時な変化を検出しない。さらに、ウインドコンパレータ回路によって変化の少ない赤外線を検出しない。
【００２８】
コントローラは、赤外線をセンサ３５（人体感知センサ装置１３）が検出するとともに、その赤外線の変化を検出した場合に、第１および第２カーボンヒーター２６，２８（弱運転ではカーボンヒーター２６，２８のいずれか一方）への電気の通電を維持する通電維持手段を実行し、赤外線をセンサ３５が検出しない場合に、カーボンヒーター２６，２８（弱運転ではカーボンヒーター２６，２８のいずれか一方）への電気の通電を遮断する通電第１遮断手段を実行する。
【００２９】
コントローラは、赤外線をセンサ３５が検出するとともに、その赤外線の変化を検出しない場合に、カーボンヒーター２６，２８（弱運転ではカーボンヒーター２６，２８のいずれか一方）への電気の通電を遮断する通電第２遮断手段を実行し、カーボンヒーター２６，２８への電気の通電を遮断した後、赤外線をセンサ３５が再び検出するとともに、その赤外線の変化を検出した場合に、カーボンヒーター２６，２８（弱運転ではカーボンヒーター２６，２８のいずれか一方）への電気の通電を直ちに再開する通電再開手段を実行する。
【００３０】
なお、コントローラは、通電第１遮断手段においてセンサ３５（人体感知センサ装置１３）が赤外線を検出しなくなった時点から直ちにカーボンヒーター２６，２８への電気の通電を遮断する。または、そのタイマ機能により、通電第１遮断手段においてセンサ３５が赤外線を検出しなくなった時点から所定時間経過後にカーボンヒーター２６，２８への電気の通電を遮断する。コントローラは、そのタイマ機能により、通電第２遮断手段において赤外線の変化を検出しなくなった時点から所定時間経過後にカーボンヒーター２６，２８への電気の通電を遮断する。所定時間は、１０〜３０秒の範囲で設定することができる。
【００３１】
図４は、電気ストーブ１０におけるカーボンヒーターへの電気のＯＮ／ＯＦＦの一例を説明する図であり、図５は、電気ストーブ１０におけるカーボンヒーター２６，２８への電気のＯＮ／ＯＦＦの他の一例を説明する図である。図６は、電気ストーブ１０におけるカーボンヒーター２６，２８への電気のＯＮ／ＯＦＦの他の一例を説明する図である。
【００３２】
図４では、センサ３５の赤外線検出可能エリアＳ２（暖房エリアＳ１）に利用者３７（人）が存在し、その利用者３７が動いている状態を示す。図５は、センサ３５の赤外線検出可能エリアＳ２（暖房エリアＳ１）に利用者３７（人）が存在し、その利用者３７が静止している状態を示す。図６は、センサ３５の赤外線検出可能エリアＳ２（暖房エリアＳ１）に利用者３７（人）が存在しない状態を示す。
【００３３】
以下の説明では、電気ストーブ１０が強運転されているものとし、所定時間が１０〜１５秒に設定されているものとする。電気ストーブ１０を利用する利用者３７（人）がストーブ１０のＯＮ／ＯＦＦスイッチ３２をＯＮにすると、第１および第２カーボンヒーター２６，２８に電気が通電（電流が流れ）され、それらヒーター２６，２８全域から赤外線が放射されるとともに、人体感知センサ装置１３が起動し、赤外線検出可能エリアＳ２（暖房エリアＳ１）からセンサ３５に向かって放出される赤外線の検出を開始する。
【００３４】
それらヒーター２６，２８から放射された赤外線のうち、第１および第２放出口２１，２２に向かって放射された赤外線は、それら放出口２１，２２から暖房域Ｓ１に放出される。それらヒーター２６，２８から放射された赤外線のうち、第１および第２スペース２４，２５に向かって放射された赤外線は、第１および第２反射板２７，２９に照射された後、それら反射板２７，２９によって第１および第２放出口２１，２２に向かって反射され、それら放出口２１，２２から暖房エリアＳ１に放出される。暖房エリアＳ１では、そこに存在する利用者３７がヒーター２６，２８から放射された赤外線（熱）によって暖められる。
【００３５】
図４に示すように、センサ３５の赤外線検出可能エリアＳ２（暖房エリアＳ１）に利用者３７（人）が存在すると、その利用者の略全身からセンサ３５に向かって赤外線が放出される。利用者３７から放出された赤外線は、センサ３５によって検出され、赤外線検出信号（電圧値）がセンサ３５から検出ユニットに出力される。
【００３６】
なお、利用者３７の他に、たとえば、それらカーボンヒーター２６，２８から放射された赤外線を吸収してその赤外線を放出する物体がストーブ１０の前方に存在する場合、または、それらヒーター２６，２８から放射された赤外線をストーブ１０に向かって反射する物体がストーブ１０の前方に存在する場合、それら物体から放出された赤外線がセンサ３５によって検出され、赤外線検出信号（電圧値）がセンサ３５から検出ユニットに出力される。
【００３７】
検出ユニットのコントローラは、センサ３５から出力された赤外線検出信号を受信するとともに、その赤外線検出信号（電圧値）の変化を検出すると、それらカーボンヒーター２６，２８への電気の通電を維持（カーボンヒーター２６，２８のＯＮ状態を維持）する（通電維持手段）。赤外線検出信号の変化を検出するとは、図４に二点鎖線で示すように、赤外線検出可能エリアＳ２（暖房エリアＳ１）において利用者３７（人）が動くと、それによってセンサ３５に検出された赤外線の値（電圧値）が変化し、その変化を検出ユニットが検出した場合をいう。赤外線検出可能エリアＳ２（暖房エリアＳ１）において利用者３７から放出された赤外線をセンサ３５が検出するとともに、その赤外線の変化を検出している間は通電維持手段が継続される。
【００３８】
次に、図５に示すように、赤外線検出可能エリアＳ２（暖房エリアＳ１）に利用者３７（人）が存在し、センサ３５がその利用者３７から放出された赤外線を検出し、赤外線検出信号を検出ユニットに出力するが、利用者３７が赤外線検出可能エリアＳ２（暖房エリアＳ１）において静止し、利用者３７から放出された赤外線の値（電圧値）が変化しない場合、コントローラは、赤外線の変化を検出しなくなった時点から１０〜１５秒経過後（所定時間経過後）にそれらカーボンヒーター２６，２８への電気の通電を遮断（カーボンヒーター２６，２８をＯＦＦ状態）する（通電第２遮断手段）。
【００３９】
それらカーボンヒーター２６，２８への電気の通電を遮断した後、静止していた利用者３７が赤外線検出可能エリアＳ２（暖房エリアＳ１）において動くと、その利用者３７から放出されてセンサ３５に検出された赤外線の値（電圧値）が変化する。コントローラは、センサ３５から出力された赤外線検出信号（電圧値）の変化を検出すると、それらカーボンヒーター２６，２８への電気の通電を直ちに再開（カーボンヒーター２６，２８のＯＮ状態）する（通電再開手段）。
【００４０】
なお、それらカーボンヒーター２６，２８から放射された赤外線を吸収してその赤外線を放出する物体が赤外線検出可能エリアＳ２（暖房エリアＳ１）に置かれた場合、または、それらヒーター２６，２８から放射された赤外線をストーブ１０に向かって反射する物体が赤外線検出可能エリアＳ２（暖房エリアＳ１）に置かれた場合、それら物体から放出された赤外線がセンサ３５によって検出され、赤外線検出信号（電圧値）がセンサ３５から検出ユニットに出力される。しかし、それら物体が動くことはなく、物体から放出された赤外線の値（電圧値）が変化しないから、赤外線の変化を検出しなくなった時点から１０〜１５秒経過後（所定時間経過後）にそれらカーボンヒーター２６，２８への電気の通電が遮断（カーボンヒーター２６，２８をＯＦＦ状態）される（通電第２遮断手段）。この場合、それら物体が動くことはないから、赤外線の値が変化することはなく、カーボンヒーターへの電気の通電は再開されない。
【００４１】
図６に示すように、赤外線検出可能エリアＳ２（暖房エリアＳ１）から利用者３７（人）が出ると、利用者３７から放出された赤外線がセンサ３５に検出されず、赤外線検出信号がセンサ３５から検出ユニットに出力されない。コントローラは、センサ３５から赤外線検出信号を受信しない場合、その時点（人体感知センサ装置が赤外線を検出しなくなった時点）から直ちにそれらカーボンヒーター２６，２８への電気の通電を遮断する（通電第１遮断手段）。この場合は、赤外線検出可能エリアＳ２（暖房エリアＳ１）に利用者３７が存在しなくなった瞬間にそれらカーボンヒーター２６，２８への電気の通電を遮断するから、無駄な電力の消費を確実に防ぐことができる。
【００４２】
赤外線検出可能エリアＳ２（暖房エリアＳ１）から出た利用者３７が再びエリアＳ２に戻ると、その利用者３７から放出された赤外線がセンサ３５によって検出され、赤外線検出信号（電圧値）がセンサ３５から検出ユニットに出力される。コントローラは、センサ３５から出力された赤外線検出信号を受信するとともに、その赤外線検出信号（電圧値）の変化を検出すると、それらカーボンヒーター２６，２８への電気の通電を直ちに再開する（通電再開手段）。それらカーボンヒーター２６，２８への電気の通電を遮断した後にエリアＳ２に利用者３７が再び入ると、カーボンヒーター２６，２８への電気の通電が瞬時に再開されるから、カーボンヒーター２６，２８によってエリアＳ２に戻った利用者３７を直ちに暖めることができる。
【００４３】
また、コントローラは、センサ３５から赤外線検出信号を受信しない場合、その時点（人体感知センサ装置が前記赤外線を検出しなくなった時点）から１０〜１５秒経過後（所定時間経過後）にそれらカーボンヒーター２６，２８への電気の通電を遮断する（通電第１遮断手段）。この場合は、検出可能エリアＳ２に利用者３７が短時間の間いなくなり、再びエリアＳ２に利用者３７が戻った場合、１０〜１５秒以内（所定時間内）であればカーボンヒーター２６，２８への電気の通電が維持されるから、エリアＳ２に利用者３７が存在しなくなった瞬間にカーボンヒーター２６，２８への電気の通電を遮断する場合と比較し、ストーブ１０の周辺温度の低下を防ぐことができ、その利用者３７に対する暖め効果を維持することができる。
【００４４】
電気ストーブ１０は、赤外線をセンサ３５（人体感知センサ装置）が検出しない場合、それらカーボンヒーター２６，２８への電気の通電を遮断するのみならず、赤外線をセンサ３５が検出したとしても、その赤外線の変化を検出しない場合、カーボンヒーター２６，２８への電気の通電を遮断するから、カーボンヒーター２６，２８から放出された赤外線を吸収してその赤外線をストーブ１０に向かって放出する物体やカーボンヒーター２６，２８から放出された赤外線をストーブ１０に向かって反射する物体が赤外線検出可能エリアＳ２（暖房エリアＳ１）（ストーブ１０の前方）に存在したとしても、それら物体を人と判断することはなく、赤外線検出可能エリアＳ２（暖房エリアＳ１）に利用者３７が存在しない場合、カーボンヒーター２６，２８への電気の通電を確実に遮断することができ、無駄な電力の消費を防ぐことができる。
【００４５】
電気ストーブ１０は、赤外線検出可能エリアＳ２（暖房エリアＳ１）に利用者３７が存在しない場合、それらカーボンヒーター２６，２８への電気の通電を遮断するから、カーボンヒーター２６，２８に常時電気を通電する場合と比較し、カーボンヒーター２６，２８の稼働時間を短縮することができ、電気料金の低減と二酸化炭素排出量の大幅な削減とを図ることができる。
【００４６】
電気ストーブ１０は、放出口２１，２２からケース１１の前方へ放出される赤外線の放出角度が６０〜９０度の範囲にあり、その放射角度内を暖房エリアＳ１とすることで、大空間におけるスポット暖房に好適に使用することができる。電気ストーブ１０は、赤外線の放射角度を狭い角度にすることによる暖房効果の低下を防ぐことができ、その暖房エリアＳ１に存在する人を確実に暖めることができる。
【００４７】
なお、この実施の形態では、ケース１１に第１および第２スペース２４，２５が形成され、それらスペースに第１および第２カーボンヒーター２６，２８が設置された例を示したが、ケース１１に１つのスペースが形成され、そのスペースに１本のカーボンヒーターまたは複数本のカーボンヒーターが設置された形態であってもよい。
【符号の説明】
【００４８】
１０    電気ストーブ
１１    ケース
１２    支持台
１３    人体感知センサ装置
２１    第１放出口（放出口）
２２    第２放出口（放出口）
２４    第１スペース（スペース）
２５    第２スペース（スペース）
２６    第１カーボンヒーター（カーボンヒーター）
２７    第１反射板
２８    第２カーボンヒーター（カーボンヒーター）
２９    第２反射板
３５    センサ
３７    利用者（人）
Ｓ１    暖房エリア
Ｓ２    赤外線検出可能エリア
【図１】
0003186451.tif 000003
【図２】
0003186451.tif 000004
【図３】
0003186451.tif 000005
【図４】
0003186451.tif 000006
【図５】
0003186451.tif 000007
【図６】
0003186451.tif 000008